(57)【要約】【課題】撮像装置におけるバリアの回動軸の軸方向の寸法を短くして、撮像装置の薄型化を図る仕組みを提供する。【解決手段】撮像装置は、バリア開口部から被写体側に凸状に露出する撮影レンズ１０１ａと、バリア開口部を開閉する方向に撮影レンズ１０１ａの凸形状に沿って円弧状に移動可能に設けられ、閉状態で撮影レンズ１０１ａを覆って保護するバリア１０２と、撮影レンズ１０１ａの光軸から離間した位置に回動中心を有し、バリア１０２に連結されるとともに、バリア１０２との連結部と前記回動中心との間で伸縮可能に設けられる回動アームユニット１４と、回動アームユニット１４を回動させる操作部材１０３とを備える。バリア１０２は、回動アームユニット１４の回動動作により、バリア開口部を開閉する方向に撮影レンズ１０１ａの光軸上を中心Ｚに撮影レンズ１０１ａの凸形状に沿って円弧状に移動する。【選択図】図２２
2015022210.tif 000002
【特許請求の範囲】
【請求項１】
バリア開口部から被写体側に凸面が露出する撮影レンズと、
前記バリア開口部を開閉する方向に前記撮影レンズの凸面形状に沿って円弧状に移動可能に設けられ、閉状態で前記撮影レンズを覆って保護するバリアと、
前記撮影レンズの光軸から離間した位置に回動中心を有し、前記バリアに連結されるとともに、前記バリアとの連結部と前記回動中心との間で伸縮可能に設けられる回動アームユニットと、
前記回動アームユニットを回動させる操作部材と、を備え、
前記バリアは、前記回動アームユニットの回動動作により、前記バリア開口部を開閉する方向に前記撮影レンズの光軸上を中心に前記撮影レンズの凸面形状に沿って円弧状に移動することを特徴とする撮像装置。
【請求項２】
前記回動アームユニットは、前記バリアの開位置と閉位置との間の中間位置における伸縮方向の長さが前記バリアの開位置及び閉位置における伸縮方向の長さより短くなることを特徴とする請求項１に記載の撮像装置。
【請求項３】
前記回動アームユニットは、回動可能に支持される基端側回転アームと、前記バリアに連結され、前記基端側回転アームに対して伸縮可能に係合する先端側アームと、前記先端側アームを前記バリアの側に向けて付勢する付勢部材と、を有することを特徴とする請求項１又は２に記載の撮像装置。
【請求項４】
前記付勢部材は、前記バリアが開位置にあるときに、前記バリアを開方向に付勢し、前記バリアが閉位置にあるときに、前記バリアを閉方向に付勢することを特徴とする請求項３に記載の撮像装置。
【請求項５】
前記操作部材は、連結アームを介して前記回動アームユニットに連結されて、前記バリアが開く方向に前記回動アームユニットを回動させる開位置と前記バリアが閉じる方向に前記回動アームユニットを回動させる閉位置との間でスライド操作が可能とされることを特徴とする請求項１乃至４のいずれか一項に記載の撮像装置。
【請求項６】
前記連結アームは、中央に回動中心を有して回動可能に支持され、かつ前記回動アームユニットに設けられた連結ボスに係合する連結孔が設けられるとともに、前記操作部材に回動可能に連結され、
前記操作部材が前記閉位置と前記開位置との間の中間位置にあるとき、前記回動アームユニットの回転中心と、前記連結ボスと、前記連結アームの回動中心と、前記連結アームの前記操作部材との連結部と、を結ぶ線が直線状に配置されることを特徴とする請求項５に記載の撮像装置。
【請求項７】
前記連結アームの前記連結孔は、前記回動アームユニットの回動方向における前記連結ボスとの間の隙間が前記連結アームの回動中心に向けて大きくなるように形成されることを特徴とする請求項６に記載の撮像装置。
【請求項８】
前記操作部材が前記閉位置及び前記開位置にあるときに、前記操作部材をスライド操作が可能に保持する保持手段を備えることを特徴とする請求項５乃至７のいずれか一項に記載の撮像装置。
【請求項９】
前記撮影レンズの背面側で前記回動アームユニットの回動軸と直交する方向に沿って配置され、電源検出スイッチが実装される基板を備え、
前記回動アームユニットには、前記回動アームユニットの回動動作に連動して前記電源検出スイッチの切片を操作する突出部が設けられ、
前記突出部は、前記基板の厚さ方向から見て、前記バリアの閉状態では前記基板に重ならず、前記バリアの開動作中に前記基板に重なるように移動して前記切片を操作することを特徴とする請求項１乃至８のいずれか一項に記載の撮像装置。
【請求項１０】
前記電源検出スイッチは、前記切片が前記回動アームユニットの回動軸と直交する方向の回動軸を中心に回動することで、電源のオン／オフ操作を行うことを特徴とする請求項９に記載の撮像装置。
【発明の詳細な説明】
【技術分野】
【０００１】
本発明は、バリアを備える例えばデジタルカメラ等の撮像装置に関する。
【背景技術】
【０００２】
デジタルカメラ等の撮像装置では、バリア開口部を開閉する方向に撮影レンズの凸面形状に沿って円弧状に移動可能に設けられるバリアを備えるものが提案されている（特許文献１）。この提案では、バリアの開状態では、バリア開口部を開放して撮影レンズを露出させ、バリアの閉状態では、バリア開口部を閉じて撮影レンズを覆い、撮影レンズを疵や汚れ等から保護する。
【先行技術文献】
【特許文献】
【０００３】
【特許文献１】特開２００２−２５８１３３号公報
【発明の概要】
【発明が解決しようとする課題】
【０００４】
しかし、上記特許文献１では、撮影レンズを保持するレンズ部の両側にそれぞれバリアの回動軸を配置している。このため、レンズ部の両側にバリアの駆動機構を設ける必要が生じて、カメラにおけるバリアの回動軸の軸方向の寸法が増し、カメラの薄型化を妨げる原因になる。
【０００５】
そこで、本発明は、撮像装置におけるバリアの回動軸の軸方向の寸法を短くして、撮像装置の薄型化を図る仕組みを提供することを目的とする。
【課題を解決するための手段】
【０００６】
上記目的を達成するために、本発明の撮像装置は、バリア開口部から被写体側に凸面が露出する撮影レンズと、前記バリア開口部を開閉する方向に前記撮影レンズの凸面形状に沿って円弧状に移動可能に設けられ、閉状態で前記撮影レンズを覆って保護するバリアと、前記撮影レンズの光軸から離間した位置に回動中心を有し、前記バリアに連結されるとともに、前記バリアとの連結部と前記回動中心との間で伸縮可能に設けられる回動アームユニットと、前記回動アームユニットを回動させる操作部材と、を備え、前記バリアは、前記回動アームユニットの回動動作により、前記バリア開口部を開閉する方向に前記撮影レンズの光軸上を中心に前記撮影レンズの凸面形状に沿って円弧状に移動することを特徴とする。
【発明の効果】
【０００７】
本発明によれば、撮像装置におけるバリアの回動軸の軸方向の寸法を短くすることができるので、撮像装置の薄型化を図ることができる。
【図面の簡単な説明】
【０００８】
【図１】（ａ）は本発明の撮像装置の第１の実施形態であるデジタルカメラの外観斜視図、（ｂ）は（ａ）に示すデジタルカメラのバリアを閉じた状態を示す外観斜視図である。
【図２】（ａ）は図１（ａ）に示すデジタルカメラを底面側から見た斜視図、図（ｂ）はデジタルカメラの底面側のスタンドを開いた状態を示す斜視図である。
【図３】レンズユニットと制御基板との関係を示す斜視図である。
【図４】デジタルカメラの制御系を示すブロック図である。
【図５】レンズユニットの斜視図である。
【図６】レンズユニットの分解斜視図である。
【図７】レンズユニットのレンズ部を通して撮像素子に入射する光線の範囲を模式的に示す斜視図である。
【図８】撮像素子に入射する光線の範囲をカメラ本体の正面側から見た図である。
【図９】デジタルカメラを底面側から見た平面図である。
【図１０】デジタルカメラを撮像素子の対角方向から見た斜視図である。
【図１１】（ａ）は図９のＡ−Ａ線におけるデジタルカメラの断面図、（ｂ）は図８のＢ−Ｂ線におけるデジタルカメラの断面図である。
【図１２】（ａ）はバリアの開状態でのバリアユニットの斜視図、（ｂ）はバリアの閉状態でのバリアユニットの斜視図である。
【図１３】バリアベースをカメラ本体の正面側から見た斜視図である。
【図１４】バリアベースをカメラ本体の背面側から見た斜視図である。
【図１５】（ａ）はバリアベースにレンズユニットを組み付ける方法を説明するための斜視図、（ｂ）は（ａ）の背面側から見た斜視図である。
【図１６】バリアベースにレンズホルダの対向面側に設けられるレンズユニットの保護板金を組み付ける様子を示す斜視図である。
【図１７】（ａ）はバリアベースにレンズホルダと保護板金が組み込まれた状態を示す斜視図、（ｂ）は（ａ）の背面側から見た斜視図である。
【図１８】レンズユニットが組み込まれたバリアユニットと前カバー部材とを示す斜視図である。
【図１９】（ａ）は前カバー部材及び化粧カバー部材を下方から見た斜視図、（ｂ）は前カバー部材及び化粧カバー部材を上方から見た斜視図である。
【図２０】バリアベースとバリアの駆動機構の分解斜視図である。
【図２１】バリアの開閉位置と回動アームユニットとの関係を示す斜視図である。
【図２２】バリアが閉じた状態での要部断面図である。
【図２３】（ａ）はバリアが中間位置にあるときの要部断面図、（ｂ）はバリアが開いた状態での要部断面図である。
【図２４】電源レバーと回動アームユニットとを連結する連結アームの組み込み時の様子を示す斜視図である。
【図２５】連結アームを示す図である。
【図２６】バリアベースと電源レバー保持ユニットの分解斜視図である。
【図２７】バリアの開閉位置と電源レバー保持ユニットとの関係を示す要部断面図である。
【図２８】（ａ）はバリアが閉じた状態でのカメラ本体の正面側の要部断面図、（ｂ）は（ａ）の状態からバリアが開き方向に移動した状態でのカメラ本体の正面側の要部断面図である。
【図２９】（ａ）は図２８（ｂ）の状態からバリアが更に開き方向に移動した状態でのカメラ本体の正面側の要部断面図、（ｂ）はバリアが開いた状態でのカメラ本体の正面側の要部断面図である。
【図３０】（ａ）は制御基板、レンズユニット及びバリアユニットを組み込んだ状態を示す斜視図、（ｂ）は（ａ）の底面側から見た斜視図である。
【図３１】電源検出ＳＷの動作を説明するための図である。
【図３２】バリアの開閉位置と回動アームユニット及び電源検出ＳＷとの関係を示す図である。
【図３３】（ａ）は本発明の撮像装置の第２の実施形態であるデジタルカメラの外観斜視図、（ｂ）は（ａ）に示すデジタルカメラのバリアを閉じた状態を示す外観斜視図である。
【発明を実施するための形態】
【０００９】
以下、本発明の実施形態を図面を参照して説明する。
【００１０】
（第１の実施形態）
図１（ａ）は本発明の撮像装置の第１の実施形態であるデジタルカメラの外観斜視図、図１（ｂ）は図１（ａ）に示すデジタルカメラのバリアを閉じた状態を示す外観斜視図である。図２（ａ）は図１（ａ）に示すデジタルカメラを底面側から見た斜視図、図２（ｂ）はデジタルカメラの底面側のスタンドを開いた状態を示す斜視図である。なお、本実施形態では、撮像装置として、小型且つ上下方向に薄型のフラットカムと称するデジタルカメラを例示する。
【００１１】
図１に示すように、本実施形態のデジタルカメラは、カメラ本体１の正面側（被写体側）にレンズユニット１０の１群レンズ１０１ａがバリア開口部５０１から被写体側に凸面が露出して配置される。ここで、１群レンズ１０１ａは、本発明の撮影レンズの一例に相当する。
【００１２】
１群レンズ１０１ａは、レンズ保護部材としてのバリア１０２により覆われる。バリア１０２は、カメラ本体１の側部に設けられた電源レバー１０３の操作に連動して、矩形状のバリア開口部５０１を閉じて１群レンズ１０１ａを覆う閉位置とバリア開口部５０１を開いて１群レンズ１０１ａを露出させる開位置との間で移動可能に構成されている。ここで、電源レバー１０３は、本発明の操作部材の一例に相当する。
【００１３】
電源レバー１０３は、カメラ本体１を正面側から見て左側の側部に設けられる。また、カメラ本体１を正面側から見て右側の側部には、撮影ボタン１０７（図１０参照）が設けられる。
【００１４】
カメラ本体の上面部には、表示ユニット４０が不図示の２軸ヒンジ部を介して取り付けられている。また、図２に示すように、カメラ本体１の底面側には、三脚ねじ取付部１０４、及びスタンド１１が設けられる。スタンド１１は、図２（ｂ）に示すように、カメラ本体１に対して開閉可能に構成され、スタンド１１を開くことで、仰角を変化させた撮影が可能となる。
【００１５】
図３は、レンズユニット１０と制御基板２０との関係を示す斜視図である。図３において、レンズ部１０１を通過した被写体光は、センサ部１０６の後述する撮像素子１０６ａ（図６参照）に結像して光電変換される。撮像素子１０６ａは、センサ基板１０５に実装され、センサ基板１０５は、制御基板２０と電気的に接続される。
【００１６】
制御基板２０には、画像処理やカメラの動作を制御する制御ＩＣ部２０１が実装される。制御基板２０は、レンズユニット１０の背面側にレンズ部１０１の光軸に沿って配置され、これにより、カメラ本体１の上下方向の薄型化を実現している。
【００１７】
制御基板２０の正面側から見て左側の側部には、外部の映像出力機器との接続端子２０２１が設けられる。また、制御基板２０の正面側から見て右側の側部には、ＰＣとの接続端子２０２２、メモリカード等の記録媒体２０２３が着脱可能に装着されるカードスロット、及びスイッチ（ＳＷ）素子２０２５が設けられる。
【００１８】
図４は、デジタルカメラの制御系を示すブロック図である。図４において、レンズ部１０１を通過してセンサ部１０６の撮像素子１０６ａに結像した被写体光は、撮像素子１０６ａで光電変換された後、センサ基板１０５を介して制御基板２０に実装された制御ＩＣ部２０１に出力される。制御基板２０には、制御ＩＣ部２０１の他に、電源検出スイッチ（以下、電源検出ＳＷという。）２０１３、プログラムメモリ部２０１４、及びＳＷ素子２０２５が実装される。
【００１９】
制御ＩＣ部２０１は、画像処理部２０１１、ＣＰＵ等で構成される制御部２０１０、及び揮発性メモリからなるワークメモリ２０１２を有する。
【００２０】
画像処理部２０１１は、撮像素子１０６ａから出力されるアナログ映像データを輝度信号および色差信号のデジタル映像データに変換する。画像処理部２０１１で変換されたデジタル映像データは、ワークメモリ２０１２に書き込まれ、制御部２０１０の制御によって記録媒体２０２３へ出力される。
【００２１】
電源検出ＳＷ２０１３は、電源レバー１０３に対応する位置に配置され、電源レバー１０３を操作することで動作して、カメラ本体１の電源がオンとなる。ＳＷ素子２０２５は、撮影ボタン１０７に対応する位置に配置され、撮影ボタン１０７を操作することで動作してその操作信号を制御ＩＣ部２０１に出力する。
【００２２】
表示ユニット４０は、ＬＣＤ等で構成される表示パネル４０１、及び表示パネル４０１の表面に貼付等により設けられるタッチパネル４０２を備える。表示パネル４０１には、プログラムメモリ部２０１４に格納されている各種アイコン表示が出力される。
【００２３】
これにより、各種アイコン表示を表示パネル４０１に表示し、アイコン位置情報とタッチパネル４０２の操作位置情報とを制御ＩＣ部２０１で比較することによって、タッチパネル４０２での操作に基づくカメラ本体１の制御が可能となっている。
【００２４】
図５は、レンズユニット１０の斜視図である。図６は、レンズユニット１０の分解斜視図である。図５及び図６に示すように、レンズユニット１０は、レンズ部１０１及びセンサ部１０６を有する。
【００２５】
レンズ部１０１は、レンズ保持側外装部１０８に１群レンズ１０１ａの他に不図示の２群レンズ及び３群レンズが保持される。レンズ保持側外装部１０８には、側面から絞りユニット１１０がレンズ部１０１の各レンズ間に挿入されてレンズ保持側外装部１０８にビス等で固定されている。
【００２６】
センサ部１０６は、撮像素子１０６ａが実装されるセンサ基板１０５と、センサ基板１０５が固定されるセンサ保持側外装部１０９とを有する。ここで、本実施形態では、撮像素子１０６ａは、縦横比率が略３対４の矩形状となる撮像面を有し、カメラ本体１の上下方向が短辺方向になるよう配置される。
【００２７】
レンズユニット１０は、光路長を短くして小型化を図るため、レンズ部１０１に対する撮像素子１０６ａの相対位置関係が敏感となる。すなわち、レンズユニット１０は、センサ基板１０５が固定されるセンサ保持側外装部１０９と、レンズ部１０１の複数のレンズを保持するレンズ保持側外装部１０８との相対位置関係が敏感となる。
【００２８】
そこで、レンズユニット１０は、製造時にセンサ保持側外装部１０９とレンズ保持側外装部１０８の光軸方向の相対位置をカメラの製品ごとに個々に調整の上、接着固定する構成となっている。従って、レンズユニット１０は、レンズ保持側外装部１０８に対するセンサ保持側外装部１０９の光軸方向の相対位置がカメラの製品ごとに異なることになる。
【００２９】
また、レンズ部１０１の１群レンズ１０１ａは、撮影画角が１８０°と超広角の光学系を構成する。１群レンズ１０１ａは、撮像素子１０６ａの画面対角線長以上のイメージサークル径を有し、特に、本実施形態では、撮像素子１０６ａの画面対角線長とイメージサークル径とを一致させた対角魚眼レンズを採用している。すなわち、レンズユニット１０は、１群レンズ１０１ａによるイメージサークルに、撮像素子１０６ａの記録画像範囲を内接させるように構成されている。
【００３０】
図７は、レンズユニット１０のレンズ部１０１を通して撮像素子１０６ａに入射する光線の範囲を模式的に示す斜視図である。図８は、撮像素子１０６ａに入射する光線の範囲をカメラ本体１の正面側から見た図である。
【００３１】
本実施形態では、図８に示すように、カメラ本体１の上下方向である撮像素子１０６ａの短辺方向の光線とカメラ本体１の左右方向である撮像素子１０６ａの長辺方向の光線とを比較して、撮像素子１０６ａの対角方向で記録画像範囲が広い光学特性となっている。
【００３２】
このため、カメラ本体１の１群レンズ１０１ａの周囲の外装をピント面側（像面側）に退避させる必要がある。特に、本実施形態のレンズユニット１０は、最大画角が１８０°の超広角レンズを用いているので、レンズ部１０１の入射面を形成する１群レンズ１０１ａをカメラ本体１の外装から被写体側に突出させる必要がある。
【００３３】
そこで、本実施形態では、光線範囲外からの有害な光線によって生じるフレアやゴーストの影響を避けるため、光線範囲外からの不要光を遮光するレンズフードとしての複数の外装突出部３０１〜３０４を矩形状のバリア開口部５０１の周囲４辺に設けている。
【００３４】
外装突出部３０１〜３０４のうち、カメラ本体１の上下に設けられた外装突出部３０１，３０２は、カメラ本体１の上下方向から見て、レンズ部１０１の光軸中心部に対応する部分が被写体側に突出し、レンズ部１０１の周辺部に対応する部分が光軸中心部よりピント面側（像面側）に退避している。
【００３５】
また、カメラ本体１の左右に設けられた外装突出部３０３，３０４も同様に、カメラ本体１の左右方向から見て、レンズ部１０１の光軸中心部が被写体側に突出し、両側部が光軸中心部よりピント面側（像面側）に退避している。
【００３６】
図９は、デジタルカメラを底面側から見た平面図である。図１０は、デジタルカメラを撮像素子１０６ａの対角方向から見た斜視図である。
【００３７】
図９に図示するように、外装突出部３０２が設けられることで、１群レンズ１０１ａは、デジタルカメラの底面側から見えない。これにより、デジタルカメラの底面側からの光束は１群レンズ１０１ａに入射しない。外装突出部３０１も外装突出部３０２と同様に設けられている。このため、外装突出部３０１が設けられることで、デジタルカメラの天面側からの光束は１群レンズ１０１ａに入射しない。また、外装突出部３０１〜３０４が設けられることで、１群レンズ１０１ａを保護して１群レンズ１０１ａに疵等が付くのを防止している。
【００３８】
これに対し、図１０に図示するように、１群レンズ１０１ａは、デジタルカメラを撮像素子１０６ａの対角方向から見える。すなわち、外装突出部３０１〜３０４は、バリア開口部５０１の４隅で１群レンズ１０１ａよりもピント面側に退避している。これにより、通常の花弁形状のレンズフードと同様に、不要光を遮光して、撮像素子１０６ａの対角方向に入射光線のケラレが生じないようになっている。
【００３９】
図１１（ａ）は、図９のＡ−Ａ線におけるデジタルカメラの断面図である。図１１（ｂ）は、図８のＢ−Ｂ線におけるデジタルカメラの断面図である。なお、図１１（ｂ）では、便宜上、天地を逆にして図示している。また、図１１（ａ）及び図１１（ｂ）のいずれも、バリア１０２の開状態における外装突出部３０１〜３０４の断面形状を図示している。
【００４０】
図１１に示すように、外装突出部３０１，３０２の裏面側には、それぞれバリア１０２が移動可能な空間３０１０，３０２０が設けられ、空間３０１０、３０２０の側壁３０１１，３０２１は、バリア１０２の摺動面を形成している。
【００４１】
また、外装突出部３０３の裏面側には、空間３０３０が設けられ、空間３０３０には、バリア１０２が閉じる際にバリア１０２の先端部１０２３（図２１（ａ））が挿入される。外装突出部３０４の裏面側には、空間３０４０が設けられ、空間３０４０は、バリア１０２が開く際のバリア１０２の収納部の入り口を形成する。
【００４２】
図１２（ａ）は、バリア１０２の開状態でのバリアユニットの斜視図である。図１２（ｂ）は、バリア１０２の閉状態でのバリアユニットの斜視図である。図中の一点鎖線は、１群レンズ１０１ａの光軸を表わしている。
【００４３】
図１２に示すように、バリア１０２は、連結アーム８５を含む駆動機構により開閉動作が行われる。連結アーム８５を含むバリア１０２の駆動機構は、バリアベース６０に組み込まれる。電源レバー１０３が操作されることで、バリア１０２は、開閉動作を行う。
【００４４】
図１３は、バリアベース６０をカメラ本体１の正面側から見た斜視図である。図１４は、バリアベース６０をカメラ本体１の背面側から見た斜視図である。
【００４５】
バリアベース６０は、合成樹脂材料で形成され、１群レンズ１０１ａが挿入される丸穴６０１が形成されている。バリアベース６０の丸穴６０１の周囲には、バリア１０２が開いた状態で外部に露出する外観部６００が配置される。図１４に示すように、外観部６００の裏面には、レンズユニット１０の位置決めを行う係合穴６０２が設けられている。
【００４６】
また、外観部６００の一方側には、バリア収容部６１０が連結され、バリア収容部６１０のカメラ本体１の背面側には、制御基板２０との位置決め部６１１、及び制御基板２０との締結部６１２が設けられている。外観部６００の他方側には、マイク保持部６２１及びスピーカ保持部６２２が設けられている。
【００４７】
図１４に示すように、スピーカ保持部６２２には、スピーカ保持板金６９４を介してスピーカ６９３が保持固定される。マイク保持部６２１には、マイク６９０（図１８参照）が保持固定される。また、本実施形態では、レンズ部１０１の光軸を挟んでマイク６９０の反対側には、電源レバー保持カバー１５０を介してマイク６９１（図２２参照）が設けられる。スピーカ６９３、及びマイク６９０，６９１は、制御基板２０に電気的に接続されて、音声の記録と音声の再生が可能となっている。
【００４８】
また、図１３に示すように、バリアベース６０には、コ字形状のダンパー６９５が取り付けられている。ダンパー６９５は、外装突出部３０４の空間３０４０に設けられ、バリア１０２を閉じた際にバリア１０２の先端部１０２３に当接してストッパとして機能する突出部６９５１を有する。ダンパー６９５の突出部６９５１には、長穴が設けられ、これにより、突出部６９５１を弾性変形しやすくしている。バリアベース６０の背面側には、レンズユニット１０が組み込まれる。
【００４９】
図１５（ａ）はバリアベース６０にレンズユニット１０を組み付ける方法を説明するための斜視図、図１５（ｂ）は図１５（ａ）の背面側から見た斜視図である。図１６は、バリアベース６０にレンズホルダ７０の対向面側に設けられるレンズユニット１０の保護板金８０を組み付ける様子を示す斜視図である。図１７（ａ）はバリアベース６０にレンズホルダ７０と保護板金８０が組み込まれた状態を示す斜視図、図１７（ｂ）は図１７（ａ）の背面側から見た斜視図である。
【００５０】
レンズユニット１０は、上述したように、レンズ保持側外装部１０８とセンサ保持側外装部１０９の光軸方向の相対位置を製品毎に調整した単焦点レンズユニットである。ここで、図１５に示すように、レンズ保持側外装部１０８の正面側には、ビス７１ａ，７１ｂの挿通孔が形成された第１のフランジ１０８１と、光軸を間に挟んで第１のフランジ１０８１の反対側に配置される第２のフランジ１０８２とが設けられる。
【００５１】
第１のフランジ１０８１には、バリアベース６０の係合穴６０２に係合する位置決めボス１０８３が設けられる。また、第２のフランジ１０８２は、バリアベース６０のバリア収容部６１０の側面に設けられた孔部６１４と係合することで、回転方向の位置決めがなされる。
【００５２】
レンズユニット１０は、バリアベース６０に対してカメラ本体１の背面側から挿入した後、レンズホルダ７０をレンズ部１０１の光軸方向と直交する方向から組み込み、正面側からビス７１ａ，７１ｂにて締結される。その後、図１６に示すように、レンズホルダ７０の対向面側に保護板金８０を組み込み、これにより、図１７に示すように、レンズ部１０１の上下両方の面が保護される構造となっている。
【００５３】
レンズホルダ７０と保護板金８０とは互いにビスによって締結されることで電気的に接続され、レンズホルダ７０は、後述する制御基板保持板金４５０を介して制御基板２０に電気的に接続される。
【００５４】
また、本実施形態では、保護板金８０の端部４箇所をバリアベース６０と接続することで、保護板金８０がコ字形状で上面が開口したバリアベース６０の梁として機能する。これにより、保護板金８０とバリアベース６０によって、バリアユニットの剛性が向上し、レンズユニット１０の上面の保護が可能となる。
【００５５】
レンズホルダ７０は、図１５に示すように、レンズユニット１０の図の上面側に配置されるレンズ保護部７００と、レンズ保護部７００から折り曲げられて、レンズユニット１０の両側面に配置される第１及び第２の曲げ部７１０，７２０とを有する。第１の曲げ部７１０には、ビス７１ａ，７１ｂが締結されるビス穴が形成される。
【００５６】
レンズ保護部７００には、位置決め孔７０１が設けられ、位置決め孔７０１がバリアベース６０の位置決めボス６２３に係合することで、バリアベース６０に対してレンズホルダ７０が位置決めされる。また、レンズホルダ７０の組み付け後、レンズホルダ７０の第１の曲げ部７１０及び第２の曲げ部７２０は、レンズ保持側外装部１０８の第１及び第２のフランジ１０８１，１０８２の背面側に配置される。
【００５７】
ビス７１ａ，７１ｂは、バリアベース６０からレンズ保持側外装部１０８の第１のフランジ１０８１の挿通孔を挿通して、レンズホルダ７０の第１の曲げ部７１０のビス穴に締結される。
【００５８】
このとき、ビス７１ａ，７１ｂの締結により、レンズホルダ７０の第１の曲げ部７１０は、カメラ本体１の正面側に引き込まれる。これにより、レンズ保持側外装部１０８の第１のフランジ１０８１は、バリアベース６０の外観部６００裏面に押しつけられることとなる。
【００５９】
一方、第２の曲げ部７２０の先端には、バネ性を有する部位７２１と、バリアベース６０に係合する部位７２２とが設けられる。また、バリアベース６０のバリア収容部６１０に設けられた回転位置決め孔部６１４には、部位７２２が背面側に退避することを阻止する係止部６１５が連続して設けられている。
【００６０】
ここで、バネ性を有する部位７２１は、組み立て状態でレンズ保持側外装部１０８の第２のフランジ１０８２の背面側に位置しており、そのバネ性によって、第２のフランジ１０８２をカメラ本体１の正面側に押し出す方向に付勢する。これにより、第２のフランジ１０８２は、バリアベース６０の外観部６００の裏面に押し付けられる。
【００６１】
このように構成することで、レンズ保持側外装部１０８に設けた第１及び第２のフランジ１０８１，１０８２とバリアベース６０とが隙間なく固定され、レンズユニット１０が光軸に対して傾くことなく、精度良くレンズホルダ７０に固定される。
【００６２】
このように、本実施形態では、レンズユニット１０の保護と固定を一つの板金部材であるレンズホルダ７０で実現することができ、部品点数の削減が可能となる。
【００６３】
また、レンズユニット１０をレンズホルダ７０のレンズ保護部７００で保護しているので、センサ保持側外装部１０９に外力が印加された場合でも、レンズユニット１０のレンズ保持側外装部１０８とセンサ保持側外装部１０９の相対位置を維持できる。
【００６４】
また、本実施形態では、バリアベース６０をコ字形状とすることで、レンズユニット１０の上下の厚み方向にバリアベース６０を配置しなくてすみ、高剛性な薄いカメラの提供が可能となる。
【００６５】
レンズユニット１０の周囲に、レンズホルダ７０と保護板金８０を配置することにより、レンズホルダ７０と保護板金８０は、１群レンズ１０１ａが挿入される丸穴６０１から印加される静電気に対する避雷針として機能する。
【００６６】
すなわち、レンズホルダ７０と保護板金８０でレンズユニット１０を囲うことで、丸穴６０１から侵入した静電気が絞りユニット１１０や制御基板２０などの内部の電気部品に達しないようにしている。
【００６７】
図１８は、レンズユニット１０が組み込まれたバリアユニットと前カバー部材５０とを示す斜視図である。また、図１９（ａ）は前カバー部材５０及び化粧カバー部材５１を下方（底面側）から見た斜視図、図１９（ｂ）は前カバー部材５０及び化粧カバー部材５１を上方（天面側）から見た斜視図である。
【００６８】
前カバー部材５０には、上述した外装突出部３０１〜３０４が設けられる、図１９に示すように、前カバー部材５０には、アルミ等の金属材料で形成された化粧カバー部材５１が組み付けられる。前カバー部材５０は、合成樹脂で形成され、上述した空間３０１０，３０２０を形成する側壁３０１１，３０２１は、バリア１０２の摺動面になっている。
【００６９】
また、前カバー部材５０を弾性を有する合成樹脂で形成することで、外力によって塑性変形が生じて空間３０１０，３０２０が狭まってバリア１０２が動作しなくなるような不具合を防止する。
【００７０】
図２０は、バリアベース６０とバリア１０２の駆動機構の分解斜視図である。バリアベース６０には、シャフト１３０を介して回動アームユニット１４の基端側回転アーム１４１が回動可能に支持される。
【００７１】
回動アームユニット１４は、基端側回転アーム１４１、先端側アーム１４２、及びコイルバネ１４３を有する。基端側回転アーム１４１には、後述する電源ＳＷ操作を行う突出部１４１１と、連結アーム８５との連結ボス１４１２とが設けられている。ここで、コイルバネ１４３は、本発明の付勢部材の一例に相当する。
【００７２】
先端側アーム１４２は、摺動性の高いＰＯＭ（ポリアセタール）で形成され、基端側回転アーム１４１の孔に係合する３本のスライド軸１４２３ａ，１４２３ｂ，１４２３ｃを有する。
【００７３】
上記構成により、回動アームユニット１４は、先端側アーム１４２と基端側回転アーム１４１との間の距離が伸縮可能となっている。
【００７４】
ここで、スライド軸１４２３ａ，１４２３ｂ，１４２３ｃは、回動アームユニット１４の回転軸であるシャフト１３０のラジアル方向に配置されている。また、先端側アーム１４２には、バリア１０２が回動可能に連結されるバリア連結軸１４２０が設けられ、バリア連結軸１４２０は、回動アームユニット１４の回転軸であるシャフト１３０と平行に配置される。
【００７５】
図２１（ａ）は、バリア１０２が閉位置にあるときの回動アームユニット１４の状態を示す斜視図である。図２１（ｂ）は、バリア１０２が中間位置（閉位置と開位置との間）にあるときの回動アームユニット１４の状態を示す斜視図である。図２１（ｃ）は、バリア１０２が開位置にあるときの回動アームユニット１４の状態を示す斜視図である。
【００７６】
図２１に示すように、バリア１０２は、閉状態で１群レンズ１０１ａを覆う主面１０２０と、主面１０２０の両側に形成された摺動部１０２１，１０２２と、連結部１０２４とを有する。
【００７７】
摺動部１０２１，１０２２は、上述した空間３０１０，３０２０に入り込む部分である。バリア１０２の先端部１０２３は、バリア１０２が閉じた際に上述した空間３０３０に入り込み、ストッパとして機能するダンパー６９５に当接する。連結部１０２４は、バリア１０２が閉じた際に、上述した空間３０４０に配置される。
【００７８】
回動アームユニット１４は、バリア１０２の閉位置から開位置の間で先端側アーム１４２と基端側回転アーム１４１とが伸縮しながら９０°回動する。それに伴い、バリア１０２は、バリア連結軸１４２０を中心として回動アームユニット１４の回転方向と相反方向に回動する。
【００７９】
ここで、回動アームユニット１４における先端側アーム１４２と基端側回転アーム１４１間の距離は、図２１（ｂ）に示すバリア１０２の中間位置で最も短くなるように設定されている。
【００８０】
コイルバネ１４３は、先端側アーム１４２と基端側回転アーム１４１との間において、スライド軸１４２３ｃに圧縮状態で外挿されて、先端側アーム１４２と基端側回転アーム１４１とを互いに離間する方向に付勢する。
【００８１】
図２１において、基端側回転アーム１４１と先端側アーム１４２とが互いに離れないように、先端側アーム１４２に設けた爪部１４２５が基端側回転アーム１４１に設けた凹部１４１５に係合して軽保持がなされている。また、先端側アーム１４２に設けた２箇所の当接部１４２６は、コイルバネ１４３の付勢力で外側に押し出され、電源レバー保持ユニット１５に設けられている第１の円弧状レール１５１ａに押しつけられた状態となる。
【００８２】
本実施形態では、バリア連結軸１４２０の近傍に配置されたスライド軸１４２３ａ，１４２３ｂより軸方向長さが長いスライド軸１４２３ｃにコイルバネ１４３を配置することで、コイルバネ１４３の弾性変形範囲が大きくなるようにしている。なお、本実施形態では、コイルバネ１４３をスライド軸１４２３ｃにのみ配置しているが、バリア連結軸１４２０の位置を変更する等して他のスライド軸にもコイルバネを配置してもよい。
【００８３】
図２２は、バリア１０２が閉じた状態での要部断面図である。図２３（ａ）はバリア１０２が中間位置にあるときの要部断面図、図２３（ｂ）はバリア１０２が開いた状態での要部断面図である。
【００８４】
図２２及び図２３に示すように、バリア１０２は、１群レンズ１０１ａの凸面形状に沿った曲面形状に形成され、図２２に示すバリア１０２の閉じ状態で、バリア１０２の先端部１０２３がダンパー６９５に当接し、コイルバネ１４３により閉方向に付勢される。
【００８５】
また、図２３（ｂ）に示すバリア１０２の開き状態では、バリア１０２の連結部１０２４に設けた一対の突出部１０２５がバリアベース６０のストッパ部６１６（図１３参照）に当接し、コイルバネ１４３により開方向に付勢される。なお、コイルバネ１４３によるバリア１０２の付勢方向については、後述する。
【００８６】
バリア１０２は、図２２及び図２３に示すように、レンズユニット１０の背面側に設定された光軸上の仮想軸心Ｚを中心とした仮想円Ｘに沿って円弧運動を行う。これにより、バリア１０２の閉状態における１群レンズ１０１ａとバリア１０２との距離を最小にすることができ、カメラ本体１の小型化が可能となる。
【００８７】
また、バリア１０２が開状態では、バリア１０２がカメラ本体１の内部に円弧状に斜めに収納されることにより、カメラ本体１の正面側のスペースを有効活用することができ、これにより、バリア収納部の正面側にマイク６９１を配置することが可能となる。
【００８８】
また、本実施形態では、外装突出部３０１，３０２の中央部の凸部と両側部を接続する円弧の中心を光軸上の仮想軸心Ｚと一致させている。また、バリア１０２の摺動部１０２１，１０２２と上述した空間３０１０，３０２０を形成する側壁３０１１，３０２１とについても、同様に、円弧の中心を光軸上の仮想軸心Ｚと一致させている。
【００８９】
このように構成することによって、バリア１０２の開閉動作時のガイドとして外装突出部３０１，３０２を利用することができる。これにより、対角魚眼レンズを使用したデジタルカメラにおいても、１群レンズ１０１ａを保護するバリア１０２をカメラ本体１の内部に収納可能に配置することが可能となる。
【００９０】
この結果、１群レンズ１０１ａを保護する着脱可能なレンズキャップを使用することなく、携帯時に１群レンズ１０１ａに触れて汚れが付いたり、取り回しにより１群レンズ１０１ａに疵が付いたりする等の問題を回避することができる。
【００９１】
図２１に戻って、回動アームユニット１４の先端側アーム１４２には、上述したように、２箇所の当接部１４２６が連結軸１４２０の両側に位置して設けられている。当接部１４２６は、バリア１０２の開閉のいずれの状態においても、バリア１０２より僅かに突出するように配置される。
【００９２】
また、当接部１４２６は、図２２及び図２３のいずれの状態においても、コイルバネ１４３の付勢力により電源レバー保持ユニット１５の円弧状レール１５１に押しつけられた状態となっている。
【００９３】
円弧状レール１５１は、電源レバー保持カバー１５０に設けた第１のレール１５１ａと、押さえ部材１５４に設けた第２のレール１５１ｂ（図２７参照）とにより構成される。これにより、バリア１０２の開閉時に、先端側アーム１４２が円弧状レール１５１に沿って移動する。ここで、円弧状レール１５１の円弧中心は、光軸上の仮想軸心Ｚとなっている。
【００９４】
バリア１０２の先端部１０２３には、凸形状部が設けられ、バリア１０２の開閉動作中、バリア１０２の先端部１０２３は、外装突出部３０１，３０２の空間３０１０，３０２０内の側壁３０１１，３０２１（図１１参照）にガイドされる。前述したように、外装突出部３０１，３０２の側壁３０１１，３０２１も円弧状に形成され、その円弧中心は、光軸上の仮想軸心Ｚとなっている。
【００９５】
一方、基端側回転アーム１４１の回動中心は、レンズ部１０１の光軸からレンズ部１０１の径方向に離間した位置に配置される。すなわち、基端側回転アーム１４１は、光軸から離間した軸心Ｎを中心に円弧状に回動する。基端側回転アーム１４１と先端側アーム１４２との回動軌跡の差は、回動アームユニット１４を伸縮可能な構成とすることで解消している。
【００９６】
図２２及び図２３に示すバリア１０２の開閉動作時に、回動アームユニット１４が伸縮しながら図の時計周り方向に回動することで、バリア１０２が開閉動作する。すなわち、光軸から離間した軸心Ｎを中心として基端側回転アーム１４１が回動することで、バリア１０２を開閉動作させることが可能となる。
【００９７】
これにより、レンズユニット１０の上面又は下面にバリア１０２の駆動機構を配置することなく、レンズユニット１０の一側にのみ配置した駆動機構により、レンズ部１０１の光軸上の仮想軸心Ｚを中心にバリア１０２を円弧状に開閉動作させることが可能となる。
【００９８】
コイルバネ１４３は、バリア１０２の開状態では、バリア１０２を開方向に付勢し、バリア１０２の閉状態では、バリア１０２を閉方向に付勢する。また、図２３（ａ）に示すバリア１０２の中間位置で、バリア１０２に対するコイルバネ１４３による付勢方向が反転する。
【００９９】
図２２に示す回動アームユニット１４の回動中心Ｎは、光軸上の仮想軸心Ｚからθｘ＝４５°の方向に離れたレンズユニット１０を避けた位置に配置される。ここで、図２２に示す２点鎖線Ｙは、回動アームユニット１４の回動中心Ｎからバリア１０２が閉じた際の先端側アーム１４２の当接部１４２６までの距離を半径として描いた仮想の円である。
【０１００】
回動アームユニット１４は、仮想円Ｙと仮想円Ｘとの差分Ｑを伸縮しながらバリア１０２の開閉動作に連動して９０°回動する。そして、回動アームユニット１４の伸縮方向の長さは、バリア１０２の開位置とバリア１０２の閉位置とで最も長くなり、回動アームユニット１４が４５°回動した中間位置で最も短くなる。
【０１０１】
また、基端側回転アーム１４１と先端側アーム１４２の間に設けたコイルバネ１４３についても、バリア１０２の開位置とバリア１０２の閉位置とで最も長くなり、回動アームユニット１４が４５°回動した中間位置で最も短くなる。
【０１０２】
このように構成した結果、例えばバリア１０２を図２２に示す閉位置から僅かに開方向に動作させると、コイルバネ１４３が短くなる。このとき、回動アームユニット１４には、コイルバネ１４３がエネルギー的に比較的安定な図２２の状態に戻ろうとして、バリア１０２に対して閉方向に付勢する力が発生する。
【０１０３】
また、バリア１０２をコイルバネ１４３が最も短くなる図２３（ａ）の中間位置の状態を超えて開方向に動作させると、コイルバネ１４３は、回動アームユニット１４を開方向に動作させるほど、中間位置よりも長くなる。
【０１０４】
そのため、コイルバネ１４３がエレルギー的に安定している図２３（ｂ）の自然長に近い状態に向かってバリア１０２が開状態へと遷移する。その結果、コイルバネ１４３は、図２３（ｂ）に示すバリア１０２の開状態では、バリア１０２を開方向に付勢する荷重を発生させる。
【０１０５】
このように、バリア１０２の中間位置でバリア１０２に対するコイルバネ１４３による付勢方向を反転させる為、本実施形態では、上述したように、回動アームユニット１４の回動中心Ｎを光軸上の仮想軸心Ｚからθｘ＝４５°の方向に離れた位置に配置している。
【０１０６】
ここで、θｘは、次式で求められる。
【０１０７】
θｘ＝θ１＋（１／２）×θ２
θ１：バリア閉位置における光軸に対する傾き角
θ２：バリア開閉における遷移角度
本実施形態では、θ１＝０°、θ２＝９０°であるため、θｘ＝４５°となる。
【０１０８】
また、仮想軸心Ｚからθｘ＝４５°の方向にマイク６９１を配置している。このように、回動アームユニット１４が最も短くなる位置にマイク６９１を配置することで、効率のよいレイアウトとすることができ、カメラ本体１の小型化が可能となる。
【０１０９】
図２４は、電源レバー１０３と回動アームユニット１４とを連結する連結アーム８５の組み込み時の様子を示す斜視図である。図２５は、連結アーム８５を示す図である。
【０１１０】
図２４及び図２５に示すように、連結アーム８５は、連結アームプレート８５０に、回転軸となる回転スリーブ８５１と、電源レバー１０３の長溝と係合する電源レバー連結ピン８５２とをカシメて構成されている。図２４に示すように、連結アーム８５は、バリアベース６０に設けた連結アーム回転軸６１７に回転スリーブ８５１を挿入することで、バリアベース６０に対して回動可能に支持される。
【０１１１】
また、連結アーム８５には、回転スリーブ８５１を間に挟んで電源レバー連結ピン８５２の反対側に、回動アームユニット１４との連結部としての連結孔８５３が形成されている。連結孔８５３は、回転スリーブ８５１に向かうにつれて幅広になる長孔形状に形成されている。
【０１１２】
図２６は、バリアベース６０と電源レバー保持ユニット１５の分解斜視図である。図２７（ａ）は、バリア１０２が閉じた状態での電源レバー保持ユニット１５の要部断面図である。図２７（ｂ）は、バリア１０２が中間位置にあるときの電源レバー保持ユニット１５の要部断面図である。図２７（ｃ）は、バリア１０２が開いた状態での電源レバー保持ユニット１５の要部断面図である。なお、図２７では、図の上側がカメラ本体１の正面側となる。
【０１１３】
図２６に示すように、電源レバー保持ユニット１５は、樹脂製の電源レバー保持カバー１５０に、電源レバー１０３が挿入され、電源レバー１０３のノブ部１０３０の挿入穴１０３５（図２７参照）に、コイルバネ１５２とボール１５３が挿入される。そして、バリアベース６０側から電源ＬＥＤ窓１５４１を有する透明樹脂製の押さえ部材１５４がビス１５５で電源レバー保持カバー１５０に固定される。
【０１１４】
また、電源レバー保持ユニット１５は、ビス１５６によって、電源レバー保持カバー１５０及び押さえ部材１５４がバリアベース６０に組み込まれたバリアユニットに固定され、図２４に示す状態となる。電源レバー１０３は、レンズ部１０１の光軸方向（図２７の上下方向）にスライド操作が可能に構成されている。また、電源レバー１０３は、コイルバネ１５２の付勢力によりボール１５３を介して外側（図の右側）に押し付けられる。
【０１１５】
図２７に示すように、押さえ部材１５４の裏面には、凹溝１５４ｅ及び凹溝１５４ｇが形成され、凹溝１５４ｅと凹溝１５４ｇとは、円弧面１５４ｆで滑らかに接続される。本実施形態では、電源レバー１０３のスライド操作に応じて、図２７（ｃ）の状態で、ボール１５３が凹溝１５４ｅに係合し、図２７（ａ）の状態で、ボール１５３が凹溝１５４ｇに係合する。そして、図２７（ａ）及び図２７（ｃ）の状態では、コイルバネ１５２は僅かに圧縮状態となり、図２７（ｂ）の状態で、コイルバネ１５２の圧縮量が最も大きくなる。
【０１１６】
即ち、図２７（ｂ）の状態では、電源レバー１０３がコイルバネ１５２の付勢力により外側（図の右側）に押し付けられる力が最も大きくなる。また、図２７（ａ）及び図２７（ｃ）の状態では、電源レバー１０３がコイルバネ１５２の付勢力により外側（図の右側）に押し付けられる力は、図２７（ｂ）より小さく、電源レバー１０３の軽保持が行われる。
【０１１７】
図２８（ａ）は、バリア１０２が閉じた状態でのカメラ本体１の正面側の要部断面図である。図２８（ｂ）は、図２８（ａ）の状態からバリア１０２が開き方向に移動した状態でのカメラ本体１の正面側の要部断面図である。図２９（ａ）は、図２８（ｂ）の状態からバリア１０２が更に開き方向に移動した状態でのカメラ本体１の正面側の要部断面図である。図２９（ｂ）は、バリア１０２が開いた状態でのカメラ本体１の正面側の要部断面図である。
【０１１８】
図２８に示すように、電源レバー１０３は、電源レバー連結ピン８５２を介して連結アーム８５に連結されている。電源レバー１０３をカメラ本体１の正面側（図の上側）にスライド操作すると、連結アーム８５が回転スリーブ８５１を中心として図の反時計回り方向に回動する。
【０１１９】
このとき、連結アーム８５は、連結孔８５３が基端側回転アーム１４１に設けた連結ボス１４１２に当接して回動アームユニット１４に係合している。これにより、連結アーム８５から連結ボス１４１２に回転モーメントが加えられ、回動アームユニット１４は、バリア１０２の開方向である図の時計回り方向に動作する。
【０１２０】
連結アーム８５の連結孔８５３は、連結ボス１４１２に当接する位置における法線方向に対する基端側回転アーム１４１の回転中心と連結ボス１４１２とを結ぶ線とのなす角度θｃが大きくなるよう形成される。
【０１２１】
具体的には、連結孔８５３は、回動アームユニット１４の回動方向における連結ボス１４１２との間の隙間が連結アーム８５の回動中心である回転スリーブ８５１に向けて大きくなるように形成される。これにより、連結アーム８５の回転トルクが効率よく回動アームユニット１４に伝達されるようになっている。
【０１２２】
図２８（ａ）の状態では、電源レバー保持ユニット１５のボール１５３が凹溝１５４ｇに係合して軽保持されている。この状態で、バリア１０２を開方向に動作させるべく電源レバー１０３を図の上側にスライド操作すると、電源レバー１０３に連動して連結アーム８５が回転スリーブ８５１を中心として反時計回り方向に回動する。
【０１２３】
このとき、連結アーム８５の連結孔８５３が回動アームユニット１４の連結ボス１４１２に当接し、連結ボス１４１２には、連結孔８５３側面から図の下方向の荷重が作用する。これにより、回動アームユニット１４の回動動作が開始されてバリア１０２が開方向に移動し、図２８（ｂ）に示す状態となる。
【０１２４】
図２８（ｂ）の状態から更に電源レバー１０３を図の上側にスライド操作すると、図２９（ａ）に示すように、回動アームユニット１４がバリア１０２の中立位置である４５°を超えてコイルバネ１４３の付勢力が反転し、バリア１０２が開方向に移動する。
【０１２５】
このとき、回動アームユニット１４の連結ボス１４１２は、連結アーム８５の連結孔８５３の図の上側の側面から離れて下側の側面に当接し、連結孔８５３から連結アーム８５の動作を助長する方向に荷重が印加される。
【０１２６】
そして、図２９（ａ）の状態から更に電源レバー１０３を図の上側にスライド操作すると、図２９（ｂ）に示すように、回動アームユニット１４がバリア１０２の開位置に回動して電源レバー保持ユニット１５のボール１５３が凹溝１５４ｅに係合して軽保持される。
【０１２７】
このとき、バリア１０２の突出部１０２５がバリアベース６０のストッパ部６１６に当接し、バリア１０２がコイルバネ１４３により開き方向に付勢されて、開状態を保持される。
【０１２８】
このように、カメラ本体１のバリア１０２の退避側の側面に設けた電源レバー１０３の操作に連動して回動アームユニット１４を介してバリア１０２を開閉動作させることが可能となる。
【０１２９】
これにより、バリア１０２の開閉動作を行う機構の全てをレンズユニット１０のバリア１０２の退避側のスペースに配置することができ、レンズユニット１０の上面又は下面にバリアの駆動機構を配置する必要をなくして、カメラ本体１の薄型化が可能となる。
【０１３０】
また、本実施形態では、バリア１０２（電源レバー１０３）が中間位置（図２８（ｂ））にあるとき、回動アームユニット１４の回転中心と連結ボス１４１２と連結アーム８５の回動中心と電源レバー連結ピン８５２とを結ぶ線が直線状に配置されるようにしている。
【０１３１】
図２８（ｂ）に示すように、ユーザ操作により電源レバー１０３が中間位置にある状態では、回動アームユニット１４に閉じ方向（図２８（ａ）に戻ろうとする方向）の付勢力が作用して、電源レバー１０３が中間位置で止まりにくくなっている。
【０１３２】
図２９（ａ）に示すように、電源レバー１０３を中間位置を超えてバリア１０２の開方向にスライド操作すると、それに応じて回動アームユニット１４も中間位置を超える。これにより、回動アームユニット１４のコイルバネ１４３によるバリア１０２の付勢力とコイルバネ１５２による電源レバー１０３の付勢力が互いに干渉することなく、連結アーム８５で回動アームユニット１４と電源レバー１０３を連結することができる。
【０１３３】
本実施形態では、回動アームユニット１４のみではなく、電源レバー１０３側にも軽保持手段を設けている。ここで、図２９（ｂ）に示す矢印は、バリア１０２の開閉ストロークと電源レバー１０３のスライドストロークを表したものである。
【０１３４】
図２９（ｂ）に示すように、電源レバー１０３のスライドストロークに対して、バリア１０２の開閉ストロークは非常に大きい。そのため、例えば、電源レバー１０３のみに軽保持手段を設けた構成にすると、電源レバー１０３の僅かな位置ズレにより、バリア１０２の位置が大きくズレることとなる。そして、このズレ分を加味して、バリア１０２の１群レンズ１０１ａを覆う面積を大きくする必要があり、カメラが大型化する。
【０１３５】
また、回動アームユニット１４及び電源レバー１０３バリア１０２の一方のみに軽保持手段を設けた場合、連結アーム８５の連結孔８５３と基端側回転アーム１４１の連結ボス１４１２との当接が安定せず、ガタつきが生じることになる。これは、軽保持手段を設けていない側の付勢力が作用しないためである。
【０１３６】
図３０（ａ）は、制御基板２０、レンズユニット１０及びバリアユニットを組み込んだ状態を示す斜視図である。図３０（ｂ）は、図３０（ａ）の底面側から見た斜視図である。本実施形態では、電源レバー１０３のユーザ操作に連動して電源のオン／オフが行われる。
【０１３７】
図３０（ａ）に示すように、バリアユニットは、制御基板２０を保持する制御基板保持板金４５０に組み込まれる。制御基板２０には、図３０（ｂ）に示すように、バリア１０２の退避側における制御基板２０の幅方向の側部に電源検出ＳＷ２０１３が電源レバー１０３に近接して実装され、電源検出ＳＷ２０１３の切片２０１５を押し下げることで、電源がオンとなる。
【０１３８】
図３１は、電源検出ＳＷ２０１３の動作を説明するための図である。図３１に示すように、電源検出ＳＷ２０１３は、先端に切片２０１５が回動可能に設けられている。切片２０１５は、無負荷状態では不図示のコイルバネの付勢力によって上方に回動した状態ａとなり、この状態では、カメラ本体１の電源はオフとなる。電源検出ＳＷ２０１３は、切片２０１５に対して図の矢印方向にコイルバネの付勢力以上の荷重を加えることで状態ｂから状態ｃへと移行する。
【０１３９】
電源検出ＳＷ２０１３は、状態ｂ以降で切片２０１５と内部回路がショートし、カメラ本体１の電源がオンとなる。このとき、制御基板２０の電源検出ＳＷ２０１３の裏面側に実装された電源ＬＥＤが点灯して電源ＬＥＤ窓１５４１が点灯すると同時に表示ユニット４０の表示パネル４０１が点灯する。本実施形態では、バリア１０２の開動作に伴って回動アームユニット１４が電源検出ＳＷ２０１３の切片２０１５を押し下げて状態ｃとなり、カメラ本体１の電源がオンとなる。
【０１４０】
図３２（ａ）は、バリア１０２が閉じた状態での回動アームユニット１４と電源検出ＳＷ２０１３との関係を示す図である。図３２（ｂ）は、図３２（ａ）の状態からバリア１０２が開き方向に移動した状態での回動アームユニット１４と電源検出ＳＷ２０１３との関係を示す図である。図３２（ｃ）は、図３２（ｂ）の状態からバリア１０２が更に開き方向に移動した状態での回動アームユニット１４と電源検出ＳＷ２０１３との関係を示す図である。図３２（ｄ）は、バリア１０２が開いた状態での回動アームユニット１４と電源検出ＳＷ２０１３との関係を示す図である。
【０１４１】
本実施形態では、回動アームユニット１４の基端側回転アーム１４１に設けた突出部１４１１によって電源検出ＳＷ２０１３の切片２０１５を動作させる。制御基板２０は、回動アームユニット１４の回動軸に対して直交する方向に沿って配置される。制御基板２０には、突出部１４１１に対応する位置に電源検出ＳＷ２０１３が配置される。そして、電源レバー１０３の操作に連動して連結アーム８５及び回動アームユニット１４が回動動作し、突出部１４１１によって電源検出ＳＷ２０１３の切片２０１５を操作する。
【０１４２】
本実施形態では、基端側回転アーム１４１に突出部１４１１を設けることで、回動アームユニット１４の伸縮によるバラツキの影響を受けることなく、電源検出ＳＷ２０１３の切片２０１５の操作が可能となる。
【０１４３】
また、本実施形態では、電源検出ＳＷ２０１３の切片２０１５の回動軸と回動アームユニット１４の回動軸とが、互いに直交するよう配置されている。そのため、突出部１４１１は、制御基板２０の厚さ方向から見て、図３２（ａ）に示すバリア１０２の閉状態では制御基板２０に重ならず、バリア１０２の開動作中に制御基板２０に重なるように制御基板２０の外から移動してくる。その結果、図３２（ｄ）に示すバリア１０２の開状態で、電源検出ＳＷ２０１３と基端側回転アーム１４１の突出部１４１１とが投影上重なった状態となる。
【０１４４】
また、カメラ本体１の電源オンのタイミングは、回動アームユニット１４の全ストロークのうち、６５°倒れた位置に設定しており、６５°から９０°の回動位置では、常に電源がオンとなるようになっている。回動アームユニット１４の回動軸と電源検出ＳＷ２０１３の切片２０１５の回動軸とを直交配置することで、突出部１４１１の僅かな形状変更によって、電源のオンタイミングを自在に変化させることが可能となる。
【０１４５】
また、電源検出ＳＷ２０１３をレンズユニット１０の背面側に配置された制御基板２０に実装することで、電源検出ＳＷ２０１３を配置するための新たな子基板が不要となり、コストダウンが可能となる。
【０１４６】
このように、本実施形態では、レンズユニット１０の上面又は下面に電源検出ＳＷ２０１３を実装した基板を配置することなく、カメラ本体１の電源のオン／オフ操作とバリア１０２の開閉操作、即ち回動アームユニット１４の回動動作を連動して行うことができる。このため、レンズユニット１０の上下方向に薄いバリア付きカメラの提供が可能となる。
【０１４７】
以上説明したように、本実施形態では、レンズユニット１０の一側にのみ配置した駆動機構により、レンズ部１０１の光軸上の仮想軸心Ｚを中心にバリア１０２を円弧状に開閉動作させることが可能となる。これにより、カメラにおけるバリア１０２の回動軸の軸方向の寸法を短くすることができ、カメラの上下方向の薄型化を図ることができる。
【０１４８】
（第２の実施形態）
次に、図３３を参照して、本発明の撮像装置の第２の実施形態であるデジタルカメラについて説明する。図３３（ａ）は、本発明の撮像装置の第２の実施形態であるデジタルカメラの外観斜視図である。図３３（ｂ）は、図３３（ａ）に示すデジタルカメラのバリアを閉じた状態を示す外観斜視図である。なお、上記第１の実施形態に対して、重複又は相当する部分については、図に同一符号を付してその説明を省略する。
【０１４９】
本実施形態のデジタルカメラは、バリア１０２を手動操作で開閉動作させる。図３３（ａ）に示すように、バリア開口部５０１の周囲３辺には、外装突出部３０１〜３０３が設けられ、バリア１０２は、上記第１の実施形態と同様に、円弧状レール１５１に沿って開閉動作する。また、バリア１０２には、ユーザが手動操作でバリア１０２を開閉動作させる際に、指を掛ける指掛け部９００が設けられている。
【０１５０】
指掛け部９００は、図３３（ａ）に示すバリア１０２の開状態では、１群レンズ１０１ａを間に挟んで外装突出部３０３に対向して配置され、上記第１の実施形態の外装突出部３０４と同様の機能を有する。
【０１５１】
すなわち、カメラ本体１の上下に設けられた外装突出部３０１，３０２は、カメラ本体１の上下方向から見て、レンズ部１０１の光軸中心部が被写体側に突出し、両側部が光軸中心部よりピント面側（像面側）に退避している。また、バリア１０２の開状態でカメラ本体１の左右に配置される外装突出部３０３及び指掛け部９００も同様に、カメラ本体１の左右方向から見て、レンズ部１０１の光軸中心部が被写体側に突出し、両側部が光軸中心部よりピント面側（像面側）に退避している。
【０１５２】
これにより、外装突出部３０１〜３０３及び指掛け部９００により、１群レンズ１０１を保護して１群レンズ１０１ａに疵等が付くのを防止するとともに、不要光を遮光して、撮像素子１０６ａの対角方向に入射光線のケラレが生じないようにしている。その他の構成、及び作用効果は、上記第１の実施形態と同様である。
【０１５３】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【０１５４】
１０  レンズユニット
１４  回動アームユニット
１０１  レンズ部
１０１ａ  １群レンズ
１０２  バリア
１０３  電源レバー
１４１  基端側回転アーム
１４２  先端側アーム
１４３  コイルバネ
【図１】
2015022210.tif 000003
【図２】
2015022210.tif 000004
【図３】
2015022210.tif 000005
【図４】
2015022210.tif 000006
【図５】
2015022210.tif 000007
【図６】
2015022210.tif 000008
【図７】
2015022210.tif 000009
【図８】
2015022210.tif 000010
【図９】
2015022210.tif 000011
【図１０】
2015022210.tif 000012
【図１１】
2015022210.tif 000013
【図１２】
2015022210.tif 000014
【図１３】
2015022210.tif 000015
【図１４】
2015022210.tif 000016
【図１５】
2015022210.tif 000017
【図１６】
2015022210.tif 000018
【図１７】
2015022210.tif 000019
【図１８】
2015022210.tif 000020
【図１９】
2015022210.tif 000021
【図２０】
2015022210.tif 000022
【図２１】
2015022210.tif 000023
【図２２】
2015022210.tif 000024
【図２３】
2015022210.tif 000025
【図２４】
2015022210.tif 000026
【図２５】
2015022210.tif 000027
【図２６】
2015022210.tif 000028
【図２７】
2015022210.tif 000029
【図２８】
2015022210.tif 000030
【図２９】
2015022210.tif 000031
【図３０】
2015022210.tif 000032
【図３１】
2015022210.tif 000033
【図３２】
2015022210.tif 000034
【図３３】
2015022210.tif 000035